(57)【要約】【課題】  複数が連側的に移送されるときにおける互いの衝突や重なり合いによる破損の発生を低減するようにする。【解決手段】  本発明のポット苗箱１は、略矩形に形成された平面視外周形状内に、該外周形状の長さ方向Ｌ及び幅方向Ｗに沿ってポット状苗室２が碁盤目状に多数配置されるとともに、長さ方向Ｌに延びる長端縁部３に、該長さ方向Ｌにおけるポット状苗室２の配列に合わせて苗箱移送用の孔６が列設されており、該長端縁部３の長さ方向Ｌにおけるサイズが、前記外周形状の長さ方向Ｌにおける最長サイズとなるように形成されている。そして、幅端縁部４は、少なくとも各ポット状苗室２に隣接する部位が、ポット状苗室２の配列に合わせて位置させたポット状苗室２の開口形状に重なる部分が省かれてなっているとともに、ポット状苗室２同士の間に隣接する全ての部位に、長端縁部３の該長さ方向Ｌにおける先端と同じ位置まで突出する突部７が設けられている。【選択図】      図１
2010035504.tif 000002
【特許請求の範囲】
【請求項１】
略矩形に形成された平面視外周形状内に、該外周形状の長さ方向及び幅方向に沿ってポット状苗室が碁盤目状に多数配置されるとともに、
前記長さ方向に延びる長端縁部に、該長さ方向におけるポット状苗室の配列に合わせて苗箱移送用の孔が列設され、
該長端縁部の前記長さ方向におけるサイズが、前記外周形状の前記長さ方向における最長サイズとなるように形成されたポット苗箱であって、
前記幅方向に延びる幅端縁部は、少なくとも各前記ポット状苗室に隣接する部位が、前記ポット状苗室の配列に合わせて位置させた前記ポット状苗室の開口形状に重なる部分以上省かれてなっているとともに、前記ポット状苗室同士の間に隣接する少なくともいずれかの部位に、前記長端縁部の該長さ方向における先端と同じ位置まで突出する突部が設けられたポット苗箱。
【請求項２】
前記突部は、前記幅端縁部における前記孔に隣接する部位の端面よりも相対的に上下方向に幅広に形成された請求項１記載のポット苗箱。
【発明の詳細な説明】
【技術分野】
【０００１】
本発明は、ポット苗箱に関し、詳しくは、稲や野菜など苗をポット苗箱の各ポット状苗室で育苗し、該ポット苗箱ごと移植機に搭載して圃場に苗を植え付けるためのものである。
【背景技術】
【０００２】
従来のポット苗箱としては、本願出願人による特許文献１記載のポット苗箱を例示する。この種のポット苗箱５１は、図６に示すように、略矩形に形成された平面視外周形状内に、該外周形状の長さ方向Ｌ及び幅方向Ｗに沿ってポット状苗室５２が碁盤目状に多数配置されるとともに、長さ方向Ｌに延びる長端縁部５３に、該長さ方向Ｌにおけるポット状苗室５２の配列に合わせて苗箱移送用の孔５６が列設されている。
【０００３】
このポット苗箱５１の幅方向Ｗに延びる幅端縁部５４は次のように形成されている。
（１）孔５６に隣接する部位５４ａには、列設された孔５６同士の間隔と等しいマージンＡが設けられている。この構成により、ポット状苗室５２に隣接する部位５４ａを苗箱の移送等に利用可能にしている。
（２）孔５６に隣接していない部位５４ｂには、長さ方向Ｌにおけるポット状苗室５２の配列間隔以下のマージンＢが設けられている。この構成により、図７に示すように、放射方向に突起５８を有する鎮圧ローラ５９で、ポット状苗室５２に入れた土６１の上面を押し固めるときに、孔５６に隣接していない部位５４ｂが該鎮圧ローラ５９の回転を阻害しないようにしている。
【０００４】
【特許文献１】特開平１０−１３６７９４号公報
【発明の開示】
【発明が解決しようとする課題】
【０００５】
ところが、ポット苗箱５１の幅端縁部５４においては、孔５６に隣接する部位５４ａの方が、それ以外の部位５４ｂよりも長さ方向Ｌへ突出しているので、複数のポット苗箱５１を連続的に送る移植機や播種機等の装置において、ポット苗箱５１の移送中に、孔５６に隣接する部位５４ａ同士が衝突し、破損しやすいという課題がある。また、図８に示すように移植機によるポット苗箱５１の移送中に、孔５６に隣接する部位５４ａ同士が重なり合い、ポット苗箱５１が屈曲することで、ポット状苗室５２の底がピッチずれを起こし、ポット状苗室５２の底壁の切れ目５２ａを介して押出棒６０によりポット苗を押し出すときに、押出棒６０が切れ目５２ａの中心からずれた部位を突いてしまい、ポット苗箱５１を破損しやすいという課題もある。
【課題を解決するための手段】
【０００６】
上記課題を解決するために、本発明のポット苗箱は、略矩形に形成された平面視外周形状内に、該外周形状の長さ方向及び幅方向に沿ってポット状苗室が碁盤目状に多数配置されるとともに、
前記長さ方向に延びる長端縁部に、該長さ方向におけるポット状苗室の配列に合わせて苗箱移送用の孔が列設され、
該長端縁部の前記長さ方向におけるサイズが、前記外周形状の前記長さ方向における最長サイズとなるように形成されたポット苗箱であって、
前記幅方向に延びる幅端縁部は、少なくとも各前記ポット状苗室に隣接する部位が、前記ポット状苗室の配列に合わせて位置させた前記ポット状苗室の開口形状に重なる部分以上省かれてなっているとともに、前記ポット状苗室同士の間に隣接する少なくともいずれかの部位に、前記長端縁部の該長さ方向における先端と同じ位置まで突出する突部が設けられている。
【０００７】
この構成によれば、複数のポット苗箱を連側的に移送するときに互いに接触する前記幅端縁部同士の接触面積を増やすことができる。これにより、前記幅端縁部同士の衝突による破損の発生や、該幅端縁部同士の重なり合いの発生を低減することができる。
【０００８】
前記ポット苗箱においては、
前記突部は、前記幅端縁部における前記孔に隣接する部位の端面よりも相対的に上下方向に幅広に形成された態様を例示する。
【０００９】
この構成によれば、前記接触面積をさらに増やすことができ、前記破損の発生や前記重なり合いの発生をさらに低減できる。
【発明の効果】
【００１０】
本発明に係るポット苗箱によれば、複数が連側的に移送されるときにおける互いの衝突や重なり合いによる破損の発生を低減することができるという優れた効果を奏する。
【発明を実施するための最良の形態】
【００１１】
図１〜図３は本発明を具体化した第一実施形態のポット苗箱１を示している。このポット苗箱１は、略矩形に形成された平面視外周形状内に、該外周形状の長さ方向Ｌ及び幅方向Ｗに沿ってポット状苗室２が碁盤目状に多数配置されるとともに、長さ方向Ｌに延びる長端縁部３に、該長さ方向Ｌにおけるポット状苗室２の配列に合わせて苗箱移送用の孔６が列設されている。そして、長端縁部３の長さ方向Ｌにおけるサイズが、前記外周形状の長さ方向Ｌにおける最長サイズとなるように形成されている。
【００１２】
ポット苗箱１の幅方向Ｗに延びる幅端縁部４は、孔６に隣接する部位４ａに、従来例と同様に、列設された孔６同士の間隔と等しいマージンＡが設けられている。
【００１３】
また、幅端縁部４における各ポット状苗室２に隣接する部位は、ポット状苗室２の配列に合わせて位置させたポット状苗室２の開口形状２ｂと重なる部分が省かれてなっている。これにより、各ポット状苗室２に隣接する部位には、長さ方向Ｌにおけるポット状苗室２の配列間隔のマージンＢが設けられている。このマージンＢの設定理由は、従来例と同様である。
【００１４】
さらに、幅端縁部４におけるポット状苗室２同士の間に隣接する全ての部位に、長端縁部３の該長さ方向Ｌにおける先端と同じ位置まで突出する突部７が設けられている。この突部７は、幅端縁部４における孔６に隣接する部位４ａの端面よりも相対的に上下方向に幅広に形成されている。
【００１５】
以上のように構成された本例のポット苗箱１によれば、複数のポット苗箱１を連側的に移送するときに互いに接触する幅端縁部４同士の接触面積を増やすことができる。これにより、幅端縁部４同士の衝突による破損の発生や、該幅端縁部４同士の重なり合いの発生を低減することができる。
【００１６】
また、突部７は、幅端縁部４における孔６に隣接する部位４ａの端面よりも相対的に上下方向に幅広に形成されているので、前記接触面積をさらに増やすことができ、前記破損の発生や前記重なり合いの発生をさらに低減できる。
【００１７】
次に、図４〜図５は本発明を具体化した第二実施形態を示している。このポット苗箱２１は、以下に示す点において、主に第一実施形態と相違している。従って、同実施形態と共通する部分については、同一符号を付することにより重複説明を省く。
【００１８】
本例では、幅端縁部４は、少なくとも各ポット状苗室２に隣接する部位が、ポット状苗室２の配列に合わせて位置させたポット状苗室２の開口形状２ｂに重なる部分以上省かれてなっているとともに、ポット状苗室２同士の間に隣接する部位に一つ飛ばしで突部７が設けられている。本例の突部７の上下方向の幅は、幅端縁部４における孔６に隣接する部位４ａの端面の上下方向の幅と同一に形成されている。
【００１９】
本例のポット苗箱２１によっても、第一実施形態と同様の部分について、同実施形態と同様の効果を得ることができる。
【００２０】
なお、本発明は前記実施形態に限定されるものではなく、例えば以下のように、発明の趣旨から逸脱しない範囲で適宜変更して具体化することもできる。
（１）突部７の形状やサイズを適宜変更すること。
（２）突部７の配設数を適宜変更すること。
【図面の簡単な説明】
【００２１】
【図１】本発明を具体化した第一実施形態に係るポット苗箱の平面図である。
【図２】同ポット苗箱の要部を示す図であり、（ａ）は平面図、（ｂ）は（ａ）のｂ−ｂ線断面図である。
【図３】図２（ａ）のｃ矢視図である。
【図４】本発明を具体化した第二実施形態に係るポット苗箱の要部を示す図であり、（ａ）は平面図、（ｂ）は（ａ）のｂ−ｂ線断面図である。
【図５】図４（ａ）のｃ矢視図である。
【図６】従来のポット苗箱の平面図である。
【図７】同ポット苗箱の要部を示す側断面図である。
【図８】同ポット苗箱が移植機で移送されている状態を示す側面図である。
【符号の説明】
【００２２】
１    ポット苗箱
２    ポット状苗室
２ｂ  開口形状
３    長端縁部
４    幅端縁部
６    孔
７    突部
２１    ポット苗箱
Ｌ    長さ方向
Ｗ    幅方向
【図１】
2010035504.tif 000003
【図２】
2010035504.tif 000004
【図３】
2010035504.tif 000005
【図４】
2010035504.tif 000006
【図５】
2010035504.tif 000007
【図６】
2010035504.tif 000008
【図７】
2010035504.tif 000009
【図８】
2010035504.tif 000010